(57)【特許請求の範囲】
【請求項１】
海中生物の体内に突き刺すことができ、圧縮空気を前記海中生物の体内に注入する注入管と、
前記注入管に送り込む圧縮空気の供給と遮断とを制御する制御弁と、
前記制御弁の開閉操作を行うための操作部材と、
前記制御弁を介して前記注入管に接続された空気供給管と、
前記空気供給管に圧縮空気が供給されるように、該空気供給管を潜水時の呼吸用空気タンクに接続するコネクターと、
一端が前記注入管に接続され、他端が海水中に開放されて前記注入管に海水を取り入れることができる海水取り入れ管と、を有することを特徴とする海中生物駆除装置。
【請求項２】
海中生物の体内に突き刺すことができ、圧縮空気を前記海中生物の体内に注入する注入管と、
前記注入管に送り込む圧縮空気の供給と遮断とを制御する制御弁と、
前記制御弁の開閉操作を行うための操作部材と、
前記制御弁を介して前記注入管に接続された空気供給管と、
前記空気供給管に圧縮空気を供給する空気タンクと、
一端が前記注入管に接続され、他端が海水中に開放されて前記注入管に海水を取り入れることができる海水取り入れ管と、を有することを特徴とする海中生物駆除装置。
【請求項３】
海中生物の体内に突き刺すことができ、圧縮空気を前記海中生物の体内に注入する注入管と、
前記注入管に送り込む圧縮空気の供給と遮断とを制御する制御弁と、
前記制御弁の開閉操作を行うための操作部材と、
前記制御弁を介して前記注入管に接続された空気供給管と、
前記空気供給管に圧縮空気が供給されるように、該空気供給管を潜水時の呼吸用空気タンクに接続するコネクターと、を有し、
前記注入管に、該注入管の軸線方向に進退が可能に取り付けられ、
前記注入管の先端側に付勢された状態で該注入管の先端を囲むとともに該注入管の先端より突き出し、前記海中生物を囲うように拘束した状態で前記注入管の軸線方向に後退が可能となった拘束部材を有することを特徴とする海中生物駆除装置。
【請求項４】
海中生物の体内に突き刺すことができ、圧縮空気を前記海中生物の体内に注入する注入管と、
前記注入管に送り込む圧縮空気の供給と遮断とを制御する制御弁と、
前記制御弁の開閉操作を行うための操作部材と、
前記制御弁を介して前記注入管に接続された空気供給管と、
前記空気供給管に圧縮空気を供給する空気タンクと、を有し、
前記注入管に、該注入管の軸線方向に進退が可能に取り付けられ、
前記注入管の先端側に付勢された状態で該注入管の先端を囲むとともに該注入管の先端より突き出し、前記海中生物を囲うように拘束した状態で前記注入管の軸線方向に後退が可能となった拘束部材を有することを特徴とする海中生物駆除装置。
【請求項５】
前記制御弁が支持され、操作者が把持した手によって前記操作部材の操作が可能となった把持部を有することを特徴とする請求項１から請求項４までのいずれかに記載の海中生物駆除装置。
【発明の詳細な説明】
【技術分野】
【０００１】
本発明は、オニヒトデ、ウニ、ガンガゼ等の海中における有害生物を駆除する装置に関するものである。
【背景技術】
【０００２】
ウニ、ガンガゼ等が海底で過度に繁殖すると海藻が消滅して生態系が激変するいわゆる磯焼けという現象を引き起こす。また、オニヒトデの大量発生によってサンゴが食べつくされるという被害等も発生している。
生態系を維持するために、このような有害生物を駆除することが行われている。ウニやガンガゼの駆除は、海中においてハンマー等を用いて叩き潰したり、先端がかぎ状となった捕獲道具を用いて採取し、陸上に運搬した後に廃棄処分を行ったりしている。また、オニヒトデ等は海中で袋に収容し、陸上に引き上げて処分する。
【０００３】
この他、特許文献１には海底生物駆除装置が開示されており、この装置は、海底から有害生物を海水とともに吸引し、沈降タンクに収容して海水と有害生物とを分離するものとなっている。
また、特許文献２には、ヒトデの体内に薬剤を注入することによって駆除する方法が提案されている。
【先行技術文献】
【特許文献】
【０００４】
【特許文献１】特開２０１１−２５０７６７号公報
【特許文献２】特開２００７−１６１６９１号公報
【発明の概要】
【発明が解決しようとする課題】
【０００５】
しかしながら、従来の方法では次のような解決が望まれる課題がある。
海中で有害な生物を袋等に収容し、陸上に引き上げて処分する方法や、ハンマー等で叩き潰す方法では、多くの労力を要するとともに、海中の有害生物には毒棘を有するものがあり、作業者に危険が及ぶ虞がある。また、ハンマー等で叩き潰す方法では、作業者は海中で浮遊した状態において水の抵抗を受けながらハンマーを振り降ろす作業を行うことになり、負担が大きく熟練も必要となる。さらに除去対象となる生物が岩礁等の隙間の狭いところに生息していることも多く、作業の効率は良好ではない。
また、駆除の成果を確認することが必要な場合があり、駆除した個体を計数することに多くの手間を要することになる。
【０００６】
一方、特許文献１に記載されているような吸引装置を用いるときには、駆除対象以外の生物も大量に吸引してしまい、生態に悪影響を及ぼす虞がある。また、特許文献２に記載されているような薬剤を注射する方法でも、薬剤が生物の生息環境に影響を及ぼすことが考えられる。さらに、生物によって薬剤の駆除効果が異なり、薬剤の選択が難しくなる。
【０００７】
本発明は、上記のような事情に鑑みてなされたものであり、生態に及ぼす影響を小さく抑えるとともに、効率よく有害な海中生物を駆除することができる駆除装置を提供することを目的とするものである。
【課題を解決するための手段】
【０００８】
上記課題を解決するために、請求項１に係る発明は、  海中生物の体内に突き刺すことができ、圧縮空気を前記海中生物の体内に注入する注入管と、  前記注入管に送り込む圧縮空気の供給と遮断とを制御する制御弁と、  前記制御弁の開閉操作を行うための操作部材と、  前記制御弁を介して前記注入管に接続された空気供給管と、  前記空気供給管に圧縮空気が供給されるように、該空気供給管を潜水時の呼吸用空気タンクに接続するコネクターと、  一端が前記注入管に接続され、他端が海水中に開放されて前記注入管に海水を取り入れることができる海水取り入れ管と、を有する海中生物駆除装置を提供する。
【０００９】
この海中生物駆除装置では、コネクターによって空気供給管を呼吸用の空気タンクに接続し、制御弁を介して圧縮空気が供給される注入管を海中に潜水する作業者が把持して、海中で有害生物に注入管を突き入れることができる。そして、操作部材の操作によって有害な海中生物の体内に圧縮空気を注入することによって海中生物の体内組織を破壊し、駆除することができる。また、注入する圧縮空気は、呼吸用の空気タンクから供給されるので有害生物を駆除するための装置は、小さく操作が容易なものとなる。これにより、狭い岩の隙間等に生息する有害生物も効率よく駆除することができる。さらに、海中生物の種類やその他の条件によっては、体内に空気を注入することによって浮力を付与し、駆除した海中生物を海面上に浮き上がらせることができる。浮上した海中生物は海上の船等によって収容することができ、駆除量を簡単に計測することが可能となる。
【００１０】
請求項２に係る発明は、  海中生物の体内に突き刺すことができ、圧縮空気を前記海中生物の体内に注入する注入管と、  前記注入管に送り込む圧縮空気の供給と遮断とを制御する制御弁と、  前記制御弁の開閉操作を行うための操作部材と、  前記制御弁を介して前記注入管に接続された空気供給管と、  前記空気供給管に圧縮空気を供給する空気タンクと、  一端が前記注入管に接続され、他端が海水中に開放されて前記注入管に海水を取り入れることができる海水取り入れ管と、を有する海中生物駆除装置を提供するものである。
【００１１】
この海中生物駆除装置では、請求項１に記載の駆除装置と同様に、海中の有害生物に注入管を突き入れ、海中生物の体内に圧縮空気を注入することによって有害な海中生物を駆除することができる。また、条件によっては体内に空気を注入した有害生物を海面上に浮き上がらせることも可能となる。
また、この装置では、圧縮空気を供給する空気タンクを備えているので潜水して使用するときにも、呼吸用の空気タンクから圧縮空気を消費することがなく、長い時間の作業が可能となる。また、水深が小さいところでは、海上の船等から注入管を操作し、海中の有害生物に突き刺して駆除することもでき、圧縮空気の使用量の制限は著しく緩和される。
【００１２】
また、請求項１又は請求項２に係る発明の海中生物駆除装置では、注入管の先端からは圧縮空気に海水が混合された状態で射出され、圧縮空気のみが射出されるときより、大きな質量が有害な海中生物の体内に注入される。したがって海中生物の駆除をより効率よく行うことが可能となる。
【００１３】
請求項３に係る発明は、  海中生物の体内に突き刺すことができ、圧縮空気を前記海中生物の体内に注入する注入管と、  前記注入管に送り込む圧縮空気の供給と遮断とを制御する制御弁と、  前記制御弁の開閉操作を行うための操作部材と、  前記制御弁を介して前記注入管に接続された空気供給管と、  前記空気供給管に圧縮空気が供給されるように、該空気供給管を潜水時の呼吸用空気タンクに接続するコネクターと、を有し、  前記注入管に、該注入管の軸線方向に進退が可能に取り付けられ、  前記注入管の先端側に付勢された状態で該注入管の先端を囲むとともに該注入管の先端より突き出し、前記海中生物を囲うように拘束した状態で前記注入管の軸線方向に後退が可能となった拘束部材を有する海中生物駆除装置を提供するものである。
【００１４】
請求項４に係る発明は、  海中生物の体内に突き刺すことができ、圧縮空気を前記海中生物の体内に注入する注入管と、  前記注入管に送り込む圧縮空気の供給と遮断とを制御する制御弁と、  前記制御弁の開閉操作を行うための操作部材と、  前記制御弁を介して前記注入管に接続された空気供給管と、  前記空気供給管に圧縮空気を供給する空気タンクと、を有し、  前記注入管に、該注入管の軸線方向に進退が可能に取り付けられ、  前記注入管の先端側に付勢された状態で該注入管の先端を囲むとともに該注入管の先端より突き出し、前記海中生物を囲うように拘束した状態で前記注入管の軸線方向に後退が可能となった拘束部材を有する海中生物駆除装置を提供するものである。
【００１５】
請求項３又は請求項４に係る発明の海中生物駆除装置では、注入管の先端より突き出した拘束部材で有害な海中生物の位置を拘束し、そのまま注入管をさらに押し出すことができる。つまり、拘束部材が海中生物を拘束したまま注入管の軸線方向に相対的に後退し、注入管が前方に押し出される。これにより、ウニ、ガンガゼ等が側方に動きやすい状態であっても容易に注入管を突き刺すことができる。特に、船上から長い竿状部材を用いて先端に取り付けた注入管を有害生物に突き刺すときに効率の良い作業が可能となる。
【００１６】
請求項５に係る発明は、請求項１から請求項４までのいずれかに記載の海中生物駆除装置において、  前記制御弁が支持され、操作者が把持した手によって前記操作部材の操作が可能となった把持部を有するものとする。
【００１７】
この海中生物駆除装置では、片手で把持部を支持するとともに操作部材の操作を行うことができ、海中の有害生物に注入管を突き刺して圧縮空気を注入する作業を片手で効率よく行うことができる。
【発明の効果】
【００１８】
以上説明したように、本発明の海中生物駆除装置では、海中の有害生物を簡単に効率よく駆除することができるとともに、海洋の環境に与える影響を小さく抑えることができる。
【図面の簡単な説明】
【００１９】
【図１】本発明の構成の大部分を備える海中生物駆除装置を参考として示す概略構成図である。
【図２】図１に示す海中生物駆除装置を潜水時における呼吸用の空気タンクに接続した状態を示す概略図である。
【図３】図１に示す海中生物駆除装置を用いてウニ又はガンガゼを駆除する状態を示す概略図である。
【図４】本発明の構成の大部分を備える海中生物駆除装置の他の例を参考として示す概略構成図である。
【図５】図４に示す海中生物駆除装置を用いて海中生物の駆除を行う状態を示す概略図である。
【図６】本発明の海中生物駆除装置であって、図４に示す海中生物駆除装置の注入管に拘束部材を装着した状態を示す概略構成図である。
【図７】図６に示す拘束部材の機能を示す概略図である。
【図８】本発明の他の実施形態である海中生物駆除装置の一部を示す概略構成図である。
【図９】本発明の海中生物駆除装置で使用することができる注入管の例を示す概略図である。
【図１０】海中生物駆除装置で使用することができる注入管の他の例を参考として示す概略図である。
【図１１】本発明の海中生物駆除装置で使用することができる注入管の他の例を示す概略図である。
【図１２】本発明の海中生物駆除装置で使用することができる注入管の他の例を示す概略図である。
【図１３】本発明の海中生物駆除装置で使用することができる注入管の他の例を示す概略図である。
【図１４】海中生物駆除装置の他の例を参考として示す概略構成図及びこの海中生物駆除装置で用いられる駆除動作部材の概略断面図である。
【図１５】海中生物駆除装置で用いることができる駆除動作部材の他の例を参考として示す概略図である。
【図１６】海中生物駆除装置で用いることができる駆除動作部材の他の例を参考として示す概略図である。
【発明を実施するための形態】
【００２０】
以下、本発明の実施の形態を図に基づいて説明する。
図１は、本発明の構成の大部分を備える海中生物駆除装置を示す概略構成図である。
この海中生物駆除装置は、圧縮空気を前記海中生物の体内に注入する注入管１と、
注入管１に送り込む圧縮空気の供給と遮断とを制御する制御弁２と、制御弁２の開閉操作を行うための操作部材３と、制御弁２を介して注入管１に接続された空気供給管４と、空気供給管４に圧縮空気が供給されるように、該空気供給管４を潜水時の呼吸用空気タンクに接続するコネクター５と、注入管１と制御弁２とが固定されて操作者が片手で把持することができる把持部６と、を備えている。
【００２１】
上記注入管１は、金属の管部材で主要部が構成されており、中空部が先端で解放されるとともに先端は尖った形状になっている。これにより、海中生物の体内に容易に突き刺すことができるものである。この注入管１の後端は、制御弁２に接続されている。
この注入管１の外形は３ｍｍ〜８ｍｍ程度とすることができ、中空部の内径は１ｍｍ〜５ｍｍ程度とするのが望ましい。
【００２２】
上記制御弁２は、管路を開閉するものであり、管路の一方側に注入管が接続され、他方側には空気供給管４が接続されている。つまり、開放した状態では、空気供給管４から供給される圧縮空気が注入管１へ送り込まれ、閉鎖した状態では空気供給管４と注入管１との間を遮蔽するものである。そして制御弁２の動作は、上記操作部材３を操作者が操作することによって行われる。
制御弁２及び注入管１は、図１に示すように、上記把持部６に固定されており、操作者は把持部６を片手で把持し、操作部材３によって制御弁２の開閉を行うことができる。
【００２３】
上記操作部材３は、図１に示すように把持部６に併設されており、把持部６と離れた位置と把持部６に接近した位置との間で移動が可能となっている。そして、バネ等の弾性部材（図示しない）によって把持部６から離れた位置に付勢されている。操作者は、把持部６を把持したときに同じ手で操作部材３を握ることができ、上記弾性部材の反発力に抗して操作部材３を把持部６に接近した位置に引き寄せることができるものとなっている。
この操作部材３は、把持部６から離れた位置では制御弁２を閉鎖し、把持部６に接近した位置では制御弁２を開放するように連動するものとなっている。したがって、操作者は制御弁２が閉鎖された状態から把持部６と操作部材３とを握り、操作部材３を把持部側に引き寄せることによって制御弁２を任意の時間だけ開放することができる。
【００２４】
上記空気供給管４は、柔軟に変形が可能なものであって、圧縮空気による内圧に耐え得るものが用いられている。この空気供給管４の一端は上記のように制御弁２に接続され、他端には潜水時の呼吸用空気タンクに接続するコネクター５が取り付けられている。これにより、図２に示すように一般にスクーバダイビングに用いられる空気タンク７に接続して圧縮空気を空気供給管４から制御弁２を介して注入管１に供給することができるものとなっている。
【００２５】
上記空気タンク７は、充填された高圧の空気を呼吸に適した圧力まで減圧する減圧装置（レギュレータ）を備えており、この減圧装置は第１段階減圧部１１（ファーストステージ）と第２段階減圧部１２（セカンドステージ）とを有する。第１段階減圧部１１には、第２段階減圧部１２を備える呼吸用のホース１３、予備の呼吸用ホース１４、浮力調整装置に接続されるホース（図示しない）、ドライスーツ内に空気を供給するホース１５、残圧計等に接続するホース１６等を接続することができるものとなっており、上記コネクターはこれらのホースの一つとして減圧装置の第１段階減圧部１１に接続することができる。第１段階減圧部１１は、１５０〜２００気圧である空気タンク７内の圧力を８〜１１気圧程度に減圧するものであり、上記コネクター５によって接続される空気供給管４には第１段階減圧部１１で減圧された８〜１１気圧程度の圧縮空気が供給されるものとなっている。
【００２６】
このような海中生物駆除装置を用いて、次のように有害な海中生物を駆除することができる。
上記コネクター５によって潜水用の空気タンク７に上記海中生物駆除装置を接続し、作業者はこの空気タンク７を背負って海中に潜水する。作業者は、注入管１及び制御弁２が固定された把持部６を把持し、図３に示すように有害な海中生物に注入管１の先端を突き刺す。そして、把持部６を把持する手で操作部材３を握り、把持部側に引き寄せることによって注入管１の先端から圧縮空気が射出される。作業者は操作部材３を引き寄せる時間を適宜に調整することによって適切量の圧縮空気を海中生物の体内に注入することができる。有害な海中生物は圧縮空気の注入によって体内の組織が破壊され、駆除される。また、海中生物の種類、圧縮空気の注入量によっては、注入した空気によって海中生物に浮力を付与することができ、海中生物が海面上に浮上する。浮上した海中生物は、船上等からすくい取って収容することができる。有害な海中生物の駆除においては、駆除量を記録することが求められる場合があり、上記のように収容することによって駆除量の記録を簡単に行うことが可能となる。
【００２７】
なお、上記海中生物駆除装置では、空気タンク７を潜水する作業者の呼吸のための空気供給と共用するものであるが、作業者が呼吸用とは別途に潜水用の空気タンク又は別途に専用に製作された空気タンクを持って潜水するものであってもよい。また、作業者を援助する船上に空気タンクを設置し、長い空気供給管を用いて潜水する作業者が注入管１と制御弁２とを操作するものであってもよい。空気タンクを船上に設置することにより、空気タンクの容量を大きくすることができ、作業効率を向上させることができる。また、船上に空気タンクを設置するときには、空気圧縮機を備えるものとし、空気タンクに適宜に圧縮空気を補給することもできる。
【００２８】
図４は、本発明の構成の大部分を備える海中生物駆除装置の他の例を示す概略構成図である。
この海中生物駆除装置は、圧縮空気を海中生物の体内に注入する注入管２１と、注入管２１に送り込む圧縮空気の供給と遮断とを制御する制御弁２２と、制御弁の開閉操作を行うための操作部材２３と、圧縮空気を収容する空気タンク２５と、空気タンクから制御弁を介して注入管２１に圧縮空気を供給する空気供給管２４と、を備えている。
【００２９】
この装置で用いられる注入管２１は、図１に示す装置で用いられているものと同様のものを用いることができるが、この注入管２１は竿状部材２７の先端部に固定されている。そして、竿状部材２７の後方部に制御弁２２、操作部材２３及び把持部２６が設けられており、制御弁２２から延長管２８を介して注入管２１に圧縮空気が供給されるものとなっている。
【００３０】
上記竿状部材２７は、船上から海底に届く程度の長さのものを用いる。この竿状部材２７の後方部に取り付けられる制御弁２２、この制御弁２２と一体に固定された把持部２６及び把持部２６に併設された操作部材２３は、竿状部材２７への取り付け位置を該竿状部材２７の軸線方向に移動することができるものとなっている。また、制御弁２２から注入管２１に圧縮空気を供給する延長管２８は、柔軟に変形が可能なものであって、把持部２６、制御弁２２等の移動に対応できるように十分な長さを有するものが使用される。
上記空気タンク２５は、船上に設置して用いられるものであり、必要に応じて大型のものを使用することができ、空気圧縮機２９から随時に圧縮空気が補給されるものを使用することもできる。
【００３１】
図５は、図４に示す海中生物駆除装置の使用態様を示す概略図である。
この海中生物駆除装置は、船上から操作するものであり、作業者３１は船上から竿状部材の後方部に取り付けられた把持部２６を把持し、先端部に固定された注入管２１を海中に突き入れて駆除作業を行う。把持部２６は、先端の注入管２１が海底に届くまで突き入れた時に船上で作業者３１が操作しやすい位置に固定しておく。作業者３１は、箱状体の底部が透明となったいわゆる箱メガネ３２等を用いて船上から海底を観察し、海底の有害生物に注入管２１を突き刺す。そして、把持部２６を把持する手で操作部材２３を握り、把持部側に引き寄せることによって制御弁２２を開放し、延長管２８から注入管２１を経て圧縮空気が有害な海中生物の体内に注入される。
【００３２】
図６は、本発明の海中生物駆除装置であって、図４に示す海中生物駆除装置の注入管に拘束部材を装着した状態を示す概略構成図である。
図４に示す海中生物駆除装置では、水深が大きく竿状部材２７が長くなるときには操作が難しくなり、注入管２１を正確に有害生物に突き刺すのが難しくなることがある。このような場合には、図６に示すように海中生物を拘束して注入管２１を突き刺すのを補助する拘束部材４０を用いることができる。
この拘束部材４０は、注入管２１に取り付けられて軸線方向に進退が可能となった支持部４１と、この支持部４１に支持され、注入管２１の周囲で先端側に突き出した籠状部４２とを備えている。
【００３３】
上記支持部４１は環状の部材であって、注入管２１の外側に装着されている。上記籠状部４２は、後方端が上記支持部４１に固定され、前方が拡大されたほぼ円錐状となっており、内側が見えるように籠状となっている。
注入管２１には、前方ストッパー４３と後方ストッパー４４とが固定されており、上記支持部４１は前方ストッパー４３と後方ストッパー４４との間で注入管２１の軸線方向に移動が可能となっている。そして、後方ストッパー４４との間に介挿されたバネ４５によって注入管２１の先端側に付勢されている。このとき、籠状部４２の径が拡大された先端部は注入管２１の先端より突き出している。
【００３４】
このような拘束部材４０を用いたときには、図７（ａ）に示すように、海底にいる有害生物に籠状部４２を被せるようにして拘束する。そして、図７（ｂ）に示すように注入管２１を前方に押し出すことによって、バネ４５で付勢されている籠状部４２は注入管２１に対して後退し、注入管２１の先端を容易に有害生物に突き刺すことができる。
なお、上記拘束部材４０は、図１に示すような潜水して用いる装置についても必要に応じて適用することができる。
【００３５】
図８は、本発明の他の実施形態のである海中生物駆除装置の一部を示す概略構成図である。
この海中生物駆除装置は、図１に示す装置と同様に注入管５１と、制御弁５２と、操作部材５３と、コネクター（図示しない）と、空気供給管５５と、把持部５６と、を備えるものであるが、この他に、一端５７ａが注入５１管に接続され、他端５７ｂが開放された海水取り入れ管５７と、海水取り入れ管５７を流れる海水の量を調整する流量調整弁５８と、を備えている。
【００３６】
この海中生物駆除装置を海中で使用するときには、上記海水取り入れ管５７の開放された端部が海水中にあり、この開放された端部から海水を取り入れることができるものとなっている。そして、開放された端部にはごみ等の異物が海水取り入れ管５７に取り込まれないようにフィルター６０が設けられている。また、この海水取り入れ管５７は注入管５１又は注入管５１に通じる管路に接続されて開放された端部から取り入れた海水を注入管５１に送り込み、注入管５１の先端に向かって流れる圧縮空気に合流させるものとなっている。つまり、海水中の水圧及び注入管５１を流れる空気流によって海水取り入れ管５７中の海水が注入管５１に引き込まれ、圧縮空気と混合された状態で注入管５１の先端部から射出される。
【００３７】
上記流量調整弁５８は、操作者が操作把持部５９を手動で操作することによって海水取り入れ管５７を流れる海水量を調整するものとなっており、これによって注入管５１を流れる圧縮空気に混合される海水量を調整することができる。
【００３８】
この海中生物駆除装置では、図１に示す装置と同様に、操作者が把持部５６を把持し、注入管５１の先端部を有害な海中生物に突き刺して、操作部材５３を把持部側に引き寄せる。これにより、注入管５１の先端からは圧縮空気に海水が混合された状態で射出され、圧縮空気のみが射出されるときより、大きな質量が有害な海中生物の体内に注入される。したがって海中生物の駆除をより効率よく行うことが可能となる。
【００３９】
なお、上記海水取り入れ管５７及び流量調整弁５８は、図４に示すような船上から操作する装置に設けることもできる。このときには、海水取り入れ管の一端は制御弁から注入管の先端までの間で圧縮空気が流れる管路に接続することができるが、操作性を良好とするためには、制御弁に近い位置で合流させるものとして、流量調整弁５８は把持部に支持されるものが望ましい。そして、開放された他端は柔軟に変形するホース等を接続して駆除作業中には開放端が常に海水中にあるようにする。
【００４０】
以上に説明した海中生物駆除装置はいずれも、注入管１，２１，５１は尖った形状となった先端から軸線方向に圧縮空気を射出するものであったが、図９に示すように、注入管７１の尖った先端は閉鎖し、先端近くの側面から側方に圧縮空気を射出する開口７２を設けることができる。この開口７２は注入管７１の周囲に複数を設けるのが望ましい。
このような注入管７１を有する海中生物駆除装置では、有害な海中生物の体内に突き刺した状態で、圧縮空気又は海水が混合された圧縮空気が側方に射出される。海中生物がウニやガンガゼのように側部に固い外殻を有するものであるときに、側方へ射出することによって外殻を破壊することができる。これによって駆除を確実に行うとともに、突き刺した注入管７１を海中生物から簡単に離脱させることが可能となる。
【００４１】
また、注入管８１は、図１０に示すように太くて剛性の高い第１の管部材８２と、その先端に接続した細い第２の管部材８３とで構成することもできる。太い第１の管部材８２と細い第２の管部材８３との接続は、着脱が可能とするのが望ましく、例えば太い第１の管部材８２の先端部の外周面に雄ネジを切削しておき、細い第２の管部材８３が固着された接続部材８４をねじり合わせるもの等を採用することができる。このような構成とすることにより、駆除しようとする海中生物がガンガゼのように長い棘を有するものであるとき等に、注入管８１を十分に長いが大きな剛性を有するものとすることができ、先端に細い第２の管部材８３を有することによって効率よく海中生物の体内に付き刺すことができる。また、先端部の細い第２の管部材８３は容易に交換することもできる。
【００４２】
注入管の先端部の構造は以上に説明したものの他、図１１、図１２及び図１３に示すような構造とすることもできる。
図１１（ａ）に示す注入管９１の先端は、断面が円形となる管の先端を該注入管の軸線に対して傾斜する２つの面で切断した形状となっており、図９に示す注入管７１の先端よりも鋭利なものとなっている。この注入管９１でも傾斜した切断面は注入管を閉鎖するものとなっており、先端付近の側面に圧縮空気を射出する複数の開口９２が設けられている。また、この注入管９１では先端から後方側に所定の長さの位置に鍔状部９３が形成されている。この鍔状部９３は注入管９１の先端を海中生物の体内に突き入れたときに海中生物の体表面に当接され、注入管９１が突き入れられる長さを制限するものとなっている。そして、先端から鍔状部９３までの長さは、該注入管９１を海中生物の体内に突き入れて上記開口９２から圧縮空気を射出したときに、開９２口の位置が海中生物の体を破壊し易くなるように定められている。
【００４３】
図１１（ｂ）は、他の注入管の先端部を示す正面図及び側面図である。
この注入管１０１は、先端部を切削して周方向に配列された複数の突出部１０２が形成されたものである。これらの突出部１０２は、側面視がほぼ三角形となって先端が鋭利に尖ったものとなっており、これにより海中生物の体内に容易に突き刺すことが可能となる。また、この注入管１０１でも、上記突出部の後方側で管の内側は閉鎖板１０３によって閉鎖されており、これより後方側に圧縮空気を射出する複数の開口１０４が設けられている。
【００４４】
図１２（ａ）に示す注入管１１１は、先端部に複数の突先部材１１３が付加されたものであり、この突先部材１１３は、注入管１１１の本体となる管部材１１２の先端１１２ａより突き出している。そして、この突先部材１１３は、断面がほぼＬ字状となった鋼部材で形成され、先端は鋭利に尖ったものとなっている。これらの突先部材１１３には管部材１１２の先端からの突き出し長が異なるものを含んでおり、海中生物に突き刺すときに突先部材１１３の一部が先に突き刺され、突き刺すときの力が小さくても容易に突き刺すことができるものとなっている。
この注入管１１１の本体となる管部材１１２は先端部が閉鎖板１１４で閉鎖され、圧縮空気を射出する開口１１５はこの閉鎖板１１４より後方に複数が設けられている。
【００４５】
図１２（ｂ）に示す注入管１２１は、図１２（ａ）に示す注入管１１１と同様に本体となる管部材１２２の先端部に複数の突先部材１２３を取り付けられたものである。この注入管１２１では突先部材１２３が鋼板で形成されており、板面が管部材１２２の外周面から法線方向に張り出し、管部材１２２の軸線方向に沿って取り付けられている。この突先部材１２３の先端は尖った形状になって管部材の先端１２２ａから突き出しており、先端から後方に向かって管部材１２２の外周面からの張り出し長が拡大するものとなっている。また、複数の突先部材１２３は、注入管１２１の本体となる管部材１２２の先端から突き出す長さが異なるものを含んでいる。このような注入管１２１では、突先部材１２３によって海中生物の体内に容易に突き刺すことができるとともに、管部材１２２の外周面からの張り出し長が拡大していることによって海中生物の外郭等を大きく切り開くことができ、圧縮空気の注入による駆除が容易となる。
なお、この注入管１２１でも本体となる管部材１２２の先端は閉鎖板１２４で閉鎖され、これより後方に圧縮空気を射出する複数の開口１２５が設けられている。
【００４６】
図１３に示す海中生物駆除装置は、注入管１３１の先端から所定の長さの位置に屈曲部１３２を設けたものである。屈曲させる角度は４０°〜９０°程度とするのが望ましい。このような注入管１３１の先端部の構造は、図１３に示すように先端を尖らせたものに限定されるものではなく、図９から図１２までに示されるもののいずれであってもよく、その他の構造を有するものであってもよい。また、制御弁、把持部１３３、操作部材１３４、空気供給管１３５等についは、図１や図８に示すものと同様のものを用いることができる。
このように屈曲した注入管を用いることにより、海中生物に先端部を突き刺すときに、把持部１３３を把持して操作部材１３４を操作する作業者が屈曲部１３２の後方を注入管１３１の先端部の軸線方向に押すことによって先端部を海中生物に容易に突き入れることができる。
【００４７】
次に、海中生物駆除装置の他の例を参考として説明する。
図１４は、この海中生物駆除装置の側面図及びこの海中生物駆除装置が備える駆除動作部材の概略断面図である。
この海中生物駆除装置は、圧縮空気が供給されることによって海中生物を打撃するように動作する駆除動作部材１４１と、圧縮空気を駆除動作部材１４１に供給する送気管１４２と、送気管１４２に送り込む圧縮空気の供給と遮断とを制御する制御弁１４３と、制御弁の開閉操作を行うための操作部材１４４と、制御弁１４３を介して送気管１４２に接続され、空気タンクから圧縮空気が供給される空気供給管１４５と、注入管１４１と制御弁１４３とが固定されて操作者が片手で把持することができる把持部１４６と、を備えている。
【００４８】
上記送気管１４２は、図１に示す装置で注入管に用いられるものと同様の金属の管部材を用いることができる。また、制御弁１４３、操作部材１４４、空気供給管１４５及び把持部１４６も図１に示す装置と同様のものを用いることができる。ただし、この海中生物駆除装置では、空気タンクから駆除動作部材１４１に圧縮空気が供給される経路に、圧縮空気の流量を調整する流量調整弁を設けるのが望ましい。
【００４９】
上記駆除動作部材１４２は、図１４（ｂ）に示すように、両端を閉鎖するように端板１５１ａが設けられたほぼ円筒状の外郭部材１５１を有し、この外郭部材１５１の内側から端板１５１ａに設けられた開口１５１ｂを貫通して軸線方向に先端部が突き出すように設けられた打撃部材１５２を備えている。そして、外郭部材１５１の内側には、送気管から圧縮空気が供給される空気室１５３と、打撃部材１５２を駆動するための駆動室１５４とが設けられ、これらの２室が隔壁１５５によって仕切られている。この隔壁１５５には開口１５５ａが設けられ、この開口１５５ａを閉鎖又は開放するように空気弁１５６が設けられている。この空気弁１５６は開口１５５ａを貫通するように設けられ、空気室側に開口１５５ａを塞ぐ弁体１５６ａを備えている。そして、開口１５５ａを貫通する軸部１５６ｂの駆動室側の端部には、打撃部材１５２の後端に当接される当接部１５６ｃが設けられている。この空気弁１５６は軸部１５６ｂの周囲に設けられたコイルばね１５７によって駆動室側に力が加えられており、弁体１５６ａが隔壁１５５の空気室側の面に押し付けられて、開口１５５ａを閉鎖するものとなっている。
【００５０】
上記打撃部材１５２は、外郭部材１５１から突き出した先端部分に頭部１５２ａが設けられ、先端が尖った形状となっている。この打撃部材１５２の後部は外郭部材の駆動室１５４内にあって、周縁が外郭部材１５１の内周面と接触又は近接する円盤状の受圧板１５２ｂを備えている。そして、受圧板１５２ｂの後面つまり空気室側の面には空気弁の当接部１５６ｃに突き当てられる突起１５２ｃが設けられている。また、受圧板１５２ｂには、外郭部材１５１の軸線方向に貫通する小孔（図示しない）が設けられており、少量ずつの水の移動が許容されるものとなっている。上記頭部１５２ａと受圧板１５２ｂとをつなぐ軸部１５２ｄは、外郭部材の端板１５１ａに設けられた開口１５１ｂを貫通しており、打撃部材１５２は外郭部材１５１の軸線方向に往復移動が可能となっている。
一方、外郭部材１５１の駆動室１５４の外周面となる部分には、複数の貫通孔１５１ｃが設けられている。これらの貫通孔１５１ｃは、駆動室から水を急速に排出することができる大きさを有するものであり、駆動室１５４内の水を斜め後方に向かって排出するように形成されている。
【００５１】
このような海中生物駆除装置では、作業者が操作部材１４４を操作することによって制御弁１４３が解放され、圧縮空気が送気管１４２から空気室１５３に供給される。このとき空気弁１５６は隔壁の開口１５５ａを閉鎖した状態となっており、空気室内の圧力が上昇する。この状態で操作者が打撃部材の頭部１５２ａを駆除しようとする海中生物に押しつけると、打撃部材１５２が外郭部材１５１に対して後退し、後端部の突起１５２ｃが空気弁の当接部１５６ｃを後方に押すことになる。これによって弁体１５６ａが隔壁１５５から離れ、隔壁の開口１５５ａが開放されて空気室１５３内の圧縮空気が一気に駆動室１５４に流れ込み、図１４（ｂ）中に破線で示すように打撃部材１５２を前方に押し出す。これによって海中生物に打撃を与えて駆除することができる。一方、空気室１５３の空気が駆動室１５４に排出されることによって空気室１５３の圧力が低下するとともに、打撃部材１５２が前方に押し出されてコイルばね１５７により空気弁１５６が閉鎖される。その後、次の打撃を与えるときには、打撃部材の頭部１５２ａを海中生物に押しつける。これにより、受圧板１５２ｂの後方側にある水は受圧板１５２ｂに設けられた小孔を介して受圧板１５２ｂの前方側に移動し、打撃部材１５２はゆっくりと空気弁の当接部１５６ｃに当接されるまで後退する。
【００５２】
駆除動作部材は、図１４に示されるものの他、図１５及び図１６に示されるもの等を用いることができる。
図１５（ａ）に示される駆除動作部材１６１は、二つの回転体１６４を有する動作部１６２と、これらの回転体１６４を供給される圧縮空気によって駆動する駆動部１６３とを有するものとである。上記回転体１６４は所定の間隔で設けられた２つの回転軸１６５に支持されて回転駆動されるものであり、互いに逆方向に回転するものであって、図中に矢印で示すように先端側から２つの回転体間に海中生物１６６を引き入れるように回転するものとなっている。また、回転体１６４の周面には先端が尖った複数の突起１６４ａが設けられ、２つの回転体１６４は互いに対向する位置で駆除しようとする海中生物１６６の大きさより間隔が小さくなるように設けられている。これにより２つの回転体１６４の回転によってこれらの間にひき込まれた海中生物１６６は２つの回転体間で圧縮され、押しつぶされて駆除される。
【００５３】
駆動部１６３は、例えば送気管１６７から供給される圧縮空気の噴出流によって風車を回転駆動し、この回転力を回転体に伝達するものであってもよいし、空気圧によって水流を形成し、水車又は螺旋状の翼体を有するスクリュー等を回転駆動するものであってもよい。また、往復動するピストンを圧縮空気によって駆動し、回転力に変換するものであってもよい。
【００５４】
図１５（ｂ）に示す駆除動作部材１７１は、作業者が把持する把持部（図示しない）に対して位置を固定して設けられた支持軸１７７と、この支持軸１７７により支持される受け部材１７２と、この受け部材に対して間隔を変動するように往復動をする圧縮部材１７３とを有する動作部１７４を備えている。そして、この動作部の後方には上記圧縮部材１７３を供給される圧縮空気によって駆動する駆動部１７５が設けられている。
受け部材１７２は鋼からなる板状の部材であり、駆動部１７５の外郭部材１７６に固定された支持軸１７７によって支持されている。この受け部材１７２は、鋼からなる板状の部材であり、海中生物を該受け部材１７２と圧縮部材１７３との間に取り込みやすいように先端部が曲折されたものとなっている。圧縮部材１７３は、支持軸１７７に沿って往復動が可能に支持されたものであり、駆動軸１７９を介して駆動部１７５から力が伝達され、駆動されるものである。そして、受け部材１７２との間で海中生物を押しつぶすことができる位置まで該受け部材に向かって移動することが可能となっている。この圧縮部材１７３の受け部材１７２と対向する部分は尖った形状となっており、容易に海中生物を押しつぶすことができるものである。
駆動部１７５は、例えば外郭部材内で往復動をするピストンを備えるものであって、該ピストンが送気管１７８から供給される圧縮空気によって駆動されるものを用いることができる。
【００５５】
図１６に示す駆除動作部材１８１は、２つのアーム１８２ａ，１８２ｂを備えた動作部１８３と、２つのアーム１８２ａ，１８２ｂが回動するように駆動する駆動部１８４を備えている。動作部１８３が備える２つのアーム１８２ａ，１８２ｂは、所定の間隔をおいて設けられた２つの回動軸１８５ａ，１８５ｂによって支持され、２つのアーム１８２ａ，１８２ｂの先端部の間隔を拡大又は縮小するように回動するものとなっている。そして、２つのアーム１８２ａ，１８２ｂの先端部が最も接近したときには、これらのアーム１８２ａ，１８２ｂの間隔が駆除しようとする海中生物１８６の大きさより小さくなるように設定されている。
駆動部１８４は、図１４又は図１５に示す駆除動作部材と同様に、例えば送気管１８６から供給される圧縮空気によって風車、水車又はスクリュー等を駆動し、この力を二つのアーム１８２ａ，１８２ｂに伝達するものを採用することができる。
【００５６】
なお、本発明の実施の形態として以上に説明した海中生物駆除装置は、本発明の実施の形態であって、これらに限定されるものではない。したがって、本発明の範囲内で適宜に変更を加えて実施することができるものであり、各構成の形状や寸法等を適切に設計することができる。また、駆除の対象となる海中生物は、上記ウニ、ガンガゼ、オニヒトデに限定されるものではなく、本発明に係る装置を用いて駆除が可能な他の海中生物について適用することができる。そして、実施の態様も本発明の範囲内で使用場所、駆除の対象となる生物等に応じて適切に設定することができる。
【符号の説明】
【００５７】
１：注入管，  ２：制御弁，  ３：操作部材，  ４：空気供給管，  ５：コネクター，  ６：把持部，  ７：空気タンク，
１１：第１段階減圧部，  １２：第２段階減圧部，  １３：呼吸用ホース，  １４：予備の呼吸用ホース，  １５：ドライスーツ内に空気を供給するホース，  １６：残圧計等に接続するホース，
２１：注入管，  ２２：制御弁，  ２３：操作部材，  ２４：空気供給管，  ２５：空気タンク，  ２６：把持部，  ２７：竿状部材，  ２８：延長管，  ２９：空気圧縮機、３１：作業者，  ３２：箱メガネ，
４０：拘束部材，  ４１：支持部，  ４２：籠状部，  ４３：前方ストッパー，  ４４：後方ストッパー，  ４５：バネ
５１：注入管，  ５２：制御弁，  ５３：操作部材，  ５５：空気供給管，  ５６：把持部，  ５７：海水取り入れ管，  ５８：流量調整弁，  ５９：操作把持部，  ６０：フィルター，
７１：注入管，  ７２：開口，
８１：注入管，  ８２：第１の管部材，  ８３：第２の管部材，  ８４：接続部材
９１：注入管，  ９２：開口，  ９３：鍔状部，
１０１：注入管，  １０２：突出部，  １０３：閉鎖板，  １０４：開口，
１１１：注入管，  １１２：管部材，  １１３：突先部材，  １１４：閉鎖板，  １１５
：開口，
１２１：注入管，  １２２：管部材，  １２３：突先部材，  １２４：閉鎖板，  １２５
：開口，
１３１：注入管，  １３２：注入管の屈曲部，  １３３：把持部，  １３４：操作部材，  １３５：空気供給管，
１４１：駆除動作部材，  １４２：送気管，  １４３：制御弁，  １４４：操作部材，  １４５：空気供給管，  １４６：把持部，
１５１：外郭部材，  １５１ａ：外郭部材の端板，  １５１ｂ：端板に設けられた開口，  １５１ｃ：貫通孔，  １５２：打撃部材，  １５２ａ：打撃部材の頭部，  １５２ｂ：打撃部材の受圧板，  １５２ｃ：打撃部材の後端の突起，  １５２ｄ：打撃部材の軸部，  １５３：空気室，  １５４：駆動室，  １５５：隔壁，  １５５ａ：隔壁に設けられた開口，  １５６：空気弁，  １５６ａ：空気弁の弁体，  １５６ｂ：空気弁の軸部，    
１５６ｃ：空気弁の当接部，    １５７：コイルばね，
１６１：駆除動作部材，  １６２：動作部，  １６３：駆動部，  １６４：回転体，  １６５：回転軸，  １６６：海中生物，  １６７：送気管，
１７１：駆除動作部材，  １７２：受け部材，  １７３：圧縮部材，  １７４：動作部，  １７５：駆動部，  １７６：外郭部材，  １７７：支持軸，  １７８：送気管，  １７９：駆動軸，
１８１：駆除動作部材，  １８２：アーム，  １８３：動作部，  １８４：駆動部，  １８５：回動軸，  １８６：海中生物
【図１】
0006749049.tif 000002
【図２】
0006749049.tif 000003
【図３】
0006749049.tif 000004
【図４】
0006749049.tif 000005
【図５】
0006749049.tif 000006
【図６】
0006749049.tif 000007
【図７】
0006749049.tif 000008
【図８】
0006749049.tif 000009
【図９】
0006749049.tif 000010
【図１０】
0006749049.tif 000011
【図１１】
0006749049.tif 000012
【図１２】
0006749049.tif 000013
【図１３】
0006749049.tif 000014
【図１４】
0006749049.tif 000015
【図１５】
0006749049.tif 000016
【図１６】
0006749049.tif 000017